(57)【要約】【課題】視認性を確保しつつ手振れを防いで、血液の定量採取が安全かつ確実に行える採血具を提供する。【解決手段】毛細管現象により血液を吸引する採血管３、及び、指を押し当てるための互いに離間した一対のガイド２２が設けてあり、前記ガイド２２間を通じて、押し当てた指の腹を目視できるように構成してあるとともに、前記採血管３の先端部に開口した血液吸引口３１が、前記ガイド２２間に位置づけてある。【選択図】図１
2008279031.tif 000002
【特許請求の範囲】
【請求項１】
毛細管現象により血液を吸引する採血管、及び、指を押し当てるための互いに離間した一対のガイドが設けてあり、
前記ガイド間を通じて、押し当てた指の腹を目視できるように構成してあるとともに、
前記採血管の先端部に開口した血液吸引口が、前記ガイド間に位置づけてある採血具。
【請求項２】
前記採血管を有する採血用部材、及び、試薬収容用部材を備えており、
前記採血用部材及び前記試薬収容用部材は、採血位置と混合位置との間で前記採血管の突出方向に沿ってスライド可能に結合しており、
前記採血位置においては、スライド可能に結合した前記採血用部材及び前記試薬収容用部材により前記一対のガイドが形成されて、前記ガイド間に前記血液吸引口が位置づけてあり、
前記混合位置においては、前記採血管が前記試薬収容用部材の外壁を貫通して、前記試薬収容用部材内の試薬収容空間に前記血液吸引口が位置づけてある請求項１記載の採血具。
【請求項３】
前記採血用部材には、前記採血管の後端に前記採血管に連通する混合空間が設けてある請求項２記載の採血具。
【請求項４】
前記採血用部材には、前記混合空間の後端に前記混合空間に連通する測定部が設けてある請求項３記載の採血具。
【請求項５】
前記測定部は、互いに連通する複数の流路から構成されている請求項4記載の採血具。
【発明の詳細な説明】
【技術分野】
【０００１】
本発明は、血液を定量採取するための採血具に関するものである。
【背景技術】
【０００２】
血液を分析するにあたり、血液を一定量採取して血液検査用の試薬と混合するには、例えば、ランセット等を用いて出血させた被採血者の指先から、ガラスキャピラリー管又はピペット等を用いて血液を一定量採取し、当該血液を血液検査用の試薬が一定量入った容器に導入して振動装置等を用いて混合してから、得られた混合液を測定用セル等に移し変え光学的な分析等に供している（非特許文献１）。
【０００３】
しかしながら、ガラスキャピラリー管又はピペット等を用いて血液を一定量採取する作業では、手振れが起こり易く、ガラスキャピラリー管等を破損したり、出血箇所以外の部位をガラスキャピラリー管等の先端で刺してしまう等のミスが生じやすい。また、むき出しのガラスキャピラリー管又はピペット等は、使用前においてはそれ自体が汚染しやすく、使用後においてはガラスキャピラリー管又はピペット等に付着した血液で周囲を汚染しやすい。
【非特許文献１】日本ベクトン・ディッキンソン株式会社製ユノペット（ディスポーザブル血液希釈用ピペット）のカタログ
【発明の開示】
【発明が解決しようとする課題】
【０００４】
そこで本発明は、視認性を確保しつつ被採血者の手振れを防いで、血液の定量採取を安全かつ確実に行いうる採血具を提供すべく図ったものである。
【課題を解決するための手段】
【０００５】
すなわち本発明に係る採血具は、毛細管現象により血液を吸引する採血管、及び、指を押し当てるための互いに離間した一対のガイドが設けてあり、前記ガイド間を通じて、押し当てた指の腹を目視できるように構成してあるとともに、前記採血管の先端部に開口した血液吸引口が、前記ガイド間に位置づけてあることを特徴とする。
【０００６】
このようなものであれば、採血対象である指に対する視認性を確保しつつ、ガイドに指を押し当てると指の動きが静止され被採血者の手振れを防止しできるので、安全かつ確実に採血を行なうことができる。
【０００７】
本発明に係る採血具は、更に試薬収容用部材を有し、スライド機構により、採血管内の血液と試薬収容用部材が収容する血液検査用薬液とが混合可能であることが好ましい。このようなスライド機構を有する採血具は、具体的には、前記採血管を有する採血用部材、及び、試薬収容用部材を備えており、前記採血用部材及び前記試薬収容用部材は、採血位置と混合位置との間で前記採血管の突出方向に沿ってスライド可能に結合しており、前記採血位置においては、スライド可能に結合した前記採血用部材及び前記試薬収容用部材により前記一対のガイドが形成されて、前記ガイド間に前記血液吸引口が位置づけてあり、前記混合位置においては、前記採血管が前記試薬収容用部材の外壁を貫通して、前記試薬収容用部材内の試薬収容空間に前記血液吸引口が位置づけてあるように構成してある。
【０００８】
このようなものであれば、採血管内に血液を吸引後、試薬収容用部材に対し採血用部材をスライドすると採血管を試薬収容用部材内に収容することができる。
【０００９】
更に本発明に係る採血具は、前記採血用部材に対し、前記採血管の後端に前記採血管に連通する混合空間が設けてあることが好ましい。
【００１０】
このようなものであれば、試薬収容用部材の試薬収容空間に圧力をかけると、試薬収容空間内に充填されている薬液とともに、採血管内の血液が押し流され、混合空間において血液と薬液とを混合することができる。
【００１１】
また本発明に係る採血具は、前記採血用部材に対し、前記混合空間の後端に前記混合空間に連通する測定部が設けてあることが好ましい。
【００１２】
このようなものであれば、混合空間において混ざり合った血液と薬液の混合液は、自動的に測定部に流入して、分析に供することができる。
【００１３】
本発明に係る採血具はこのようなスライド機構を有することにより、視認性を確保しつつ、採血時の手振れを防いで、安全かつ確実に採血を行なうことができる上に、採血管で血液を採取後、試薬収容用部材に対し採血用部材をスライドする単一の操作のみで、極めて容易に定量採取した血液と薬液とを混合することができる。また、試薬収容用部材に対し採血用部材をスライドすると、採血管が試薬収容用部材内に収容されるので、採血管の破損を防ぎ、かつ、採血管に付着した血液により周囲が汚染されることも防ぐことができる。また、本採血具は血液の分析用の容器としての機能までを果たすことができるので、別途測定用セルに移し変える必要がない。
【００１４】
前記測定部は、互いに連通する複数の流路から構成されていることが好ましい。測定部が複数の流路から構成されていることにより、少量の血液及び薬液であっても、流路が満たされ、光学的測定に必要な充分な光路長を確保することができるので、被採血者の負担を軽減することができる。
【発明の効果】
【００１５】
このように構成した本発明によれば、ガイド機構により、視認性を確保しつつ手振れを防いで、安全かつ確実に採血を行ないうる。更に、スライド機構を有する試薬収容用部材を備えることにより、採取した血液の試薬との混合も容易に行なうことができる上、採血から分析までを同一の器具で行なうことができる。
【発明を実施するための最良の形態】
【００１６】
以下に、本発明の第１の実施形態に係る採血具について、図面を参照して説明する。
【００１７】
本実施形態に係る採血具１は、血液の定量採取を行うためのものであり、図１に示すように、その基端部２１から突出した一対のガイド２２が設けてある本体２、及び、一対のガイド２２の間に設けてあり、本体２の後端から基端部２１を貫通してその先端がガイド２２間に突出している採血管３を備えている。
【００１８】
ガイド２２は棒状部材であり、ガイド２２間は被採血者の指を押し当て可能な程度に離間している。具体的には、ガイド２２は、例えば、長さが２０〜３０ｍｍであり、１０〜２０ｍｍの間隔を空けて設けてある。
【００１９】
本体２は、例えば、ポリプロピレン、ポリエチレン、ポリ塩化ビニル、ポリカーボネイト、ポリスチレン等のプラスチックを成形してなるものであり、基端部２１及びガイド２２が一体成形してあっても良いし、それぞれが別々に成形された後、一体に接続してあっても良い。
【００２０】
採血管３は、先端部に血液吸引口３１を有し、毛細管現象により血液を吸引することができる断面円形のものであり、その内径は、例えば、毛細管現象により自動的に血液を導入することができる範囲のものである。このような採血管３の具体的形状は、例えば、内径約０．８ｍｍ、長さ約３０ｍｍである。血液採取量は、採血管３の断面積及び長さを変えることで自由に変更することができ、例えば血液採取量を１〜２０μＬまで変更することができる。
【００２１】
採血管３は、ガラスキャピラリー管からなるものであっても良いが、上記の各種プラスチックからなるものであっても良い。採血管３が各種プラスチックからなるものである場合、基端部２１と一体に成形してあっても良いし、基端部２１の外部に突出している部分のみ別個に成形した後に一体に接続してあっても良い。
【００２２】
本実施形態に係る採血具１を用いて血液を定量採取する場合は、図２に示すように、予めランセット等を用いて出血させた被採血者の指を、ガイド２２に押し当てて、出血箇所を採血管３の先端部に開口した血液吸引口３１に接触させる。これにより、採血管３は、毛細管現象により自動的に血液を吸引する。
【００２３】
このように構成した第１の実施形態に係る採血具１によれば、一対のガイド２２からなるガイド機構により、単なるキャピラリーガラス管等を使用して採血する場合のように、被採血者の手振れに起因して、ガラスキャピラリーを破損したり、ガラスキャピラリー管等の先端が被採血者の指先の出血箇所から外れたりすることがなく、採血管３の血液吸引口３１を被採血者の指先に的確に接触させることができるので、安全かつ確実に採血を行なうことができる。
【００２４】
次いで、本発明の第２の実施形態に係る採血具について、図面を参照して説明する。なお、各図面において、薬液収容空間５２に充填された薬液は図示しない。
【００２５】
本実施形態に係る採血具１は、血液の定量採取及びその血液と試薬との定量混合、更に血液分析を行うためのものであり、図３に示すように、板状部材である本体４１とその先端に設けられた採血管３とからなる採血用部材４、及び、一対のガイド２２とその後端に設けられた試薬収容空間５２とを有する板状部材である試薬収容用部材５を備えている。
【００２６】
本体４１には、混合空間４３と、それに連通する測定部４４とが設けてある。混合空間４３は採血管３の後端に連通しており、採血管３で吸引した血液と薬液とは混合空間４３に流入して混合され、その混合液は測定部４４に流入し、例えば光学的な分析に供される。
【００２７】
測定部４４は、互いに連通する複数の流路４５からなり、光学的分析を行う際に、少量の血液及び薬液でもあっても流路４５を満たし、充分な光路長を確保することができるようにしてある。流路４５は、例えば、断面が１辺１ｍｍの矩形のものである。
【００２８】
測定部４４は光学的な分析が可能なように光を透過する材料から形成されており、測定部４４で分析された血液と薬液との混合液は排出孔４６から排出され廃棄される。
【００２９】
本体４１には、混合空間４３の両脇から先端に至る一対の溝４９が形成してあり、溝４９はガイド２２がスライド可能に形成してある。
【００３０】
本体４１は、例えば、ポリプロピレン、ポリエチレン、ポリ塩化ビニル、ポリカーボネイト、ポリスチレン等のプラスチックを成形してなるものである。
【００３１】
採血管３は、混合空間４３と連通しており、本体４１を貫通してその先端から突出している。第２の実施形態における採血管３も第１の実施形態におけるものと同様のものであり、採血管３が各種プラスチックからなるものである場合、本体４１と一体に成形してあっても良いし、本体４１の外部に突出している部分のみ別個に成形した後に一体に接続してあっても良い。
【００３２】
一対のガイド２２は、溝４９にスライド可能に構成してあること以外は、第１の実施形態におけるものと同様のものである。
【００３３】
試薬収容空間５２の外壁には、その先端部中央には採血管３が挿入可能な挿入孔５３が設けてあり、後端の一隅には空気孔５４が設けてある。試薬収容空間５２の内部には血液検査用の薬液が充填してあり、挿入孔５３には、アルミ薄膜や樹脂薄膜等からなる隔膜が設けてある。
【００３４】
試薬収容用部材５は、例えば、ポリプロピレン、ポリエチレン、ポリ塩化ビニル、ポリカーボネイト、ポリスチレン等のプラスチックにより成形してある。
【００３５】
第２の実施形態に係る採血具１は、保管時は、図３に示すように、ガイド２２の先端部が溝４９の先端部に嵌合して、採血用部材４と試薬収容用部材５が一体として保管される。この際、採血管３や、ガイド２２の先端部と溝４９の先端部が嵌合した状態において形成されたガイド孔６を覆うようにシールが貼付されていてもよい。
【００３６】
第２の実施形態に係る採血具１を用いて血液を定量採取する場合は、図４に示すように、ガイド孔６に予めランセット等を用いて出血させた被採血者の指を押し当てて、次いで、被採血者の指先を採血管３の先端部に開口した血液吸引口３１に接触させる。これにより、採血管３は、毛細管現象により自動的に血液を吸引する。
【００３７】
採血管３により血液を吸引した後は、図５に示すように、溝４９に対してガイド２２をスライドして、採血管３を試薬収容空間５２の挿入孔５３に挿入する。この状態で、採血具１を専用又は汎用の分析装置に載置する。そして空気孔５４から試薬収容空間１２２内に圧力をかけると、試薬収容空間５２に収容されている薬液が、採血管３内の血液を押し流しつつ、採血管３を通って混合空間４３に流れ込み、混合空間４３で血液と薬液とが混ざり合い混合液が調製される。
【００３８】
当該混合液は、混合空間４３から測定部４４に流入して、光学的な分析等に供される。分析が終了した混合液は排出孔４６から採血具１外に排出される。また、混合液が多すぎる場合は混合空間４３から排出路４７を経由して排出孔４８から採血具１外に排出される。
【００３９】
このように構成した第２の実施形態に係る採血具１によれば、採血時に視認性を確保しつつ手振れを防いで、安全・確実に採血を行なえるとともに、採血管３で血液を採取した後、試薬収容用部材５を採血用部材４に対しスライドする操作（一動作）のみで、容易に一定量の血液と試薬とを混合することができる。また、血液と薬液との混合及び分析までを本採血具１のみで行なうことができ、別途測定用セルに移し変える必要がない。
【００４０】
また、測定部４４が複数の流路４５から構成されていることにより、分析に必要な血液及び薬液の量が少なくてすみ、被採血者の負担を軽減することができる。
【００４１】
更に、定量採血及び定量混合を、本器具のみにより行うことができるので、従来の血液分析装置等の内部に設けられた定量機構、試薬混合機構等の一部を省略でき、その結果、血液分析装置の小型化、低コスト化等を実現することも可能となる。
【００４２】
なお、本発明は前記実施形態に限られず、その趣旨を逸脱しない範囲で種々の変形が可能であるのは言うまでもない。
【００４３】
採血管３の形状は、断面円形状でなくとも良く、楕円形であって良いし、矩形であっても良い。
【００４４】
測定部４４は、分析に供する血液と薬液との混合液が充分量ある場合は、複数の流路４５から構成されていなくとも良く、単一のセルから構成するようにしてあっても良い。
【００４５】
第２の実施形態に係る採血具では、ガイド２２が試薬収容用部材５に、溝４９が採血用部材４に備わっているが、これとは逆に、ガイド２２が採血用部材４に、溝４９が試薬収容用部材５に備わっていても良い。
【００４６】
その他、本発明は、その趣旨を逸脱しない範囲で種々の変形が可能であるのは言うまでもない。
【図面の簡単な説明】
【００４７】
【図１】本発明の第１の実施形態に係る採血具の正面図。
【図２】同実施形態に係る採血具の斜視図。
【図３】本発明の第２の実施形態に係る採血具の正面図。
【図４】同実施形態におけるガイド孔を示す部分拡大斜視図。
【図５】同実施形態に係る採血具の正面図。
【符号の説明】
【００４８】
１・・・採血具
２２・・・ガイド
３・・・採血管
４・・・採血用部材
４３・・・混合空間
４４・・・測定部
４９・・・溝
５・・・試薬収容用部材
５２・・・試薬収容空間
【図１】
2008279031.tif 000003
【図２】
2008279031.tif 000004
【図３】
2008279031.tif 000005
【図４】
2008279031.tif 000006
【図５】
2008279031.tif 000007